(57)【要約】  【課題】白髪などを１本ずつ抜くのでなく、根元でカットし、かつカット状態で保持できる毛切り保持器に関し、所望の頭髪や鼻毛などの毛をカットした後、そのまま確実に保持可能とする。  【解決手段】一対の把持腕の先端に、所望の毛をカットする刃先を有し、該刃先より内側に、互いに開閉する一対の挟持体を有しているので、刃先と一対の挟持体を開いて間に目的とする毛を位置決めし、続いて挟んでカットすると、その際に一対の挟持体によって、カットされた毛が保持される。しかも、一対の挟持体の少なくとも片方がゴム様の弾性材であるため、その弾力によって確実に弾圧挟持されるので、カットされた毛が散らばるような恐れはなく、後始末が容易である。【選択図】図２
0003134082.tif 000002
【実用新案登録請求の範囲】
【請求項１】
一対の把持腕の先端に、所望の毛をカットする刃先を有し、該刃先より内側に、互いに開閉する一対の挟持体を有し、該挟持体の少なくとも片方がゴム様の弾性材からなることを特徴とする毛切り保持器。
【請求項２】
前記のゴム様の挟持体の少なくとも表面が、粘性のあるシリコーンゴムであることを特徴とする請求項１に記載の毛切り保持器。
【請求項３】
前記の刃先よりも前記の挟持体の挟持面が突出していることを特徴とする請求項１または請求項２に記載の毛切り保持器。
【請求項４】
前記の刃先を有するカット部の正面が、前記の挟持体側に引っ込んでいるか、逆に肌側に突出していることを特徴とする請求項１、請求項２または請求項３に記載の毛切り保持器。
【考案の詳細な説明】
【技術分野】
【０００１】
本考案は、例えば白髪などを１本ずつ抜くのでなく、根元でカットし、かつカット状態で保持できる毛切り保持器に関する。
【背景技術】
【０００２】
実用新案登録第３０６７９１４号のように、誤って肌を切ったりしないように刃先を内側に設けた毛切り器や実開平３−８１００８号のような爪切り状の鼻毛切り器などが提案されている。
【０００３】
しかしながら、これらの毛切り器や鼻毛切り器は、切った毛や鼻毛が脱落して行方不明になってしまったり、付近に散らばったり、無数の毛髪の中に紛れ込んでしまって、取り出し不能となってしまうなどの問題が多い。
【特許文献１】実用新案登録第３０６７９１４号
【特許文献２】実開平３−８１００８号
【考案の開示】
【考案が解決しようとする課題】
【０００４】
したがって、カットした毛や鼻毛などを、そのまま確実に毛切り器で保持できると、前記のような問題を解消でき、しかも所望の場所に衛生的に始末できる。本考案の技術的課題は、このような問題に着目し、所望の頭髪や鼻毛などの毛をカットした後、そのまま確実に保持可能な毛切り保持器を実現することにある。
【課題を解決するための手段】
【０００５】
本考案の技術的課題は次のような手段によって解決される。請求項１は、一対の把持腕の先端に、所望の毛をカットする刃先を有し、該刃先より内側に、互いに開閉する一対の挟持体を有し、該挟持体の少なくとも片方がゴム様の弾性材からなることを特徴とする毛切り保持器である。このように、一対の把持腕の先端に、所望の毛をカットする刃先を有し、該刃先より内側に、互いに開閉する一対の挟持体を有しているので、刃先と一対の挟持体を開いて間に目的とする毛を位置決めし、続いて挟んでカットすると、その際に一対の挟持体によって、カットされた毛が保持される。しかも、一対の挟持体の少なくとも片方がゴム様の弾性材であるため、その弾力によって確実に弾圧挟持されるので、カットされた毛が散らばるような恐れはない。
【０００６】
請求項２は、前記のゴム様の挟持体の少なくとも表面が、粘性のあるシリコーンゴムであることを特徴とする請求項１に記載の毛切り保持器である。シリコーンゴムは、従来の技術によって、表面の粘性を高めることは容易である。したがって、請求項２のように、前記のゴム様の挟持体の少なくとも表面が、粘性のあるシリコーンゴムであると、その表面の粘性のために、カットされた毛は、シリコーンゴムの粘性によって粘着保持されるので、把持腕が開いた場合に、カットした毛が不用意に飛散したりするのを防止でき、確実に所定の場所に始末できる。
【０００７】
請求項３は、前記の刃先よりも前記の挟持体の挟持面が突出していることを特徴とする請求項１または請求項２に記載の毛切り保持器である。このように、前記の刃先よりも前記の挟持体の挟持面が突出しているため、刃先でカットされる前に、カットされる毛が確実に弾圧挟持されるので、カットされる毛の捕獲保持は確実で、挟持の信頼性が高い。
【０００８】
請求項４は、前記の刃先を有するカット部の正面が、前記の挟持体側に引っ込んでいるか、逆に肌側に突出していることを特徴とする請求項１、請求項２または請求項３に記載の毛切り保持器である。このように、前記の刃先を有するカット部の正面が、前記の挟持体側に角度θだけ引っ込んでいると、誤って肌を切るような危険が少ない。逆に、カット部の正面が肌側に角度βだけ突出していると、肌を切る危険はあるが、ささくれなどを根元からカットするのに好都合である。
【考案の効果】
【０００９】
請求項１のように、一対の把持腕の先端に、所望の毛をカットする刃先を有し、該刃先より内側に、互いに開閉する一対の挟持体を有しているので、刃先と一対の挟持体を開いて間に目的とする毛を位置決めし、続いて挟んでカットすると、その際に一対の挟持体によって、カットされた毛が保持される。しかも、一対の挟持体の少なくとも片方がゴム様の弾性材であるため、その弾力によって確実に弾圧挟持されるので、カットされた毛が散らばるような恐れはない。
【００１０】
シリコーンゴムは、表面の粘性を高めることは容易である。したがって、請求項２のように、前記のゴム様の挟持体の少なくとも表面が、粘性のあるシリコーンゴムであると、カットされた毛は、シリコーンゴムの粘性によって粘着保持されるので、把持腕が開いた場合に、カットした毛が不用意に飛散したりするのを防止でき、確実に所定の場所に始末できる。
【００１１】
請求項３のように、前記の刃先よりも前記の挟持体の挟持面が突出しているため、刃先でカットされる前に、カットされる毛が確実に弾圧挟持されるので、カットされる毛の捕獲保持は確実で、挟持の信頼性が高い。
【００１２】
請求項４のように、前記の刃先を有するカット部の正面が、前記の挟持体側に角度θだけ引っ込んでいると、誤って肌を切るような危険が少ない。逆に、カット部の正面が肌側に角度βだけ突出していると、肌を切る危険はあるが、ささくれなどを根元からカットするのに好都合である。
【考案を実施するための最良の形態】
【００１３】
次に本考案による毛切り保持器が実際上どのように具体化されるか実施形態を説明する。図１は、本考案による毛切り保持器の実施形態を示す斜視図である。一対の腕状の把持体１と２は、根元３において、Ｖ字状ないしＵ字状に一体に連続しており、一対の把持腕１、２の先端のカット部１ｃ、２ｃは互いに向き合うように、ほぼＬ字状に内側に曲がっている。そして、カット部１ｃ、２ｃの刃先１ｅと２ｅの間に白髪などを挟んでカットする。本考案の場合、カット部１ｃ、２ｃの内側において、把持腕１、２の内面にスポンジやゴム材などの弾性材からなる挟持体１ｈ、２ｈを接着などで取付け固定してある。
【００１４】
この弾性挟持体１ｈ、２ｈは、刃先１ｅ、２ｅより幾分突出している。したがって、いま、図２のように、白髪などの毛Ｈを挟むように位置決めしてから、把持腕１、２を閉じていくと、図３のように最初に挟持体１ｈ、２ｈで毛Ｈが挟まれて、弾力で保持される。図４のように、さらに強く把持腕１、２を閉じると、刃先１ｅと２ｅが接して、毛Ｈがカットされる。図５のように把持腕１、２を閉じたままでいる限り、挟持体１ｈ、２ｈの弾力によって、カットされた毛Ｈが保持されたままとなるので、所定の場所に移動してから、把持腕１、２を開放してはじめて、毛Ｈが挟持体１ｈ、２ｈから開放されて自由になる。
【００１５】
挟持体１ｈ、２ｈは両方とも弾性材であってもよいが、いずれか片方だけを弾性材とし、他方は剛体であっても足りる。また、挟持体１ｈ、２ｈが、例えばシリコーンゴムのように、表面が粘性に富んでいる場合は、刃先１ｅ、２ｅの先端と同一面であっても、カットされた毛Ｈは粘性で接着保持される。なお、挟持体１ｈ、２ｈの表面だけにシリコーンゴムを貼ってあってもよい。
【００１６】
図５のように、挟持体１ｈ、２ｈは、カット部１ｃ、２ｃの内面と間近に取付け固定してもよいが、図６のように、Ｗだけ離してもよい。その場合の間隔Ｗは自由である。間隔Ｗが開いていると、刃先１ｅ、２ｅの付近の見通しが良くなるので、カットしたい毛Ｈと刃先１ｅ、２ｅとの位置関係が容易に目視確認できて安心である。間隔Ｗが開き過ぎていると、カットする毛Ｈが挟持体１ｈ、２ｈの間に確実に挟持できなくなる恐れがある。
【００１７】
本考案のように、毛Ｈの根元をカットする前に、互いに開閉する一対の挟持体１ｈ、２ｈで先に毛Ｈを確実に弾圧挟持できるため、通常の鋏のように、一対の刃先の剪断動作によって毛Ｈをカットすることもできる。したがって、刃先１ｅと２ｅが互いに平行になっているのでなく、通常の鋏のように互いに傾斜しており、しかも外側と内側に相対的にずれている構造も可能である。短くて曲がっている白髪の場合は、切除が容易でないが、挟持体１ｈ、２ｈで軽く挟んで引っ張るようにしてスライドさせると、曲がった白髪が真っ直ぐに矯正される。こうして真っ直ぐに伸ばしてから、把持腕１、２を強く把持して刃先１ｅ、２ｅでカットすると簡便である。
【００１８】
挟持体１ｈ、２ｈの少なくとも片方の材質は、スポンジやシリコーンゴム、合成樹脂や天然ゴムなどからなる各種のゴム様の弾性材を用いる。その際の弾性の程度は、白髪などを１本ずつ弾圧挟持できる程度で足りる。なお、頭髪に限らず、鼻毛や睫毛などをカットするのに使用することも可能である。
【００１９】
毛切り保持器のカット部１ｃ、２ｃの正面を、図５のように、挟持体１ｈ、２ｈ側に向けて角度θだけ傾斜させ、刃先１ｅ、２ｅが肌Ｓから離れるように形成すると、誤って肌Ｓが切れるような危険が無い。逆に、図７のように、刃先１ｅ、２ｅを角度βだけ肌Ｓ側に向けて突出させると、肌を切る危険は増えるが、指などのささくれを根元から切除するような場合には好都合である。
【産業上の利用可能性】
【００２０】
以上のように、本考案によると、先端が刃先となった一対の把持腕において、該刃先より内側に、互いに開閉して毛を挟持する挟持体を有し、少なくとも片方の挟持体がゴム様の弾性材からなるため、所望の白髪や鼻毛などの毛をカットしたままの状態で確実に挟持できるので、カットした後の毛の後始末が容易になる。
【図面の簡単な説明】
【００２１】
【図１】本考案による毛切り保持器の実施形態を示す斜視図である。
【図２】白髪などに刃先を位置決めした側面図である。
【図３】挟持体で毛が挟持された状態である。
【図４】刃先同士が接して毛がカットされる瞬間である。
【図５】毛切り保持器の刃先を人体から離した状態である。
【図６】挟持体が刃先から離れた実施形態である。
【図７】ささくれ切除を兼ねた毛切り保持器の側面図である。
【符号の説明】
【００２２】
１・２  一対の把持腕
１ｃ・２ｃ  カット部
１ｅ・２ｅ  刃先
１ｈ・２ｈ  挟持体
３  根元
Ｓ  肌面
Ｈ  毛
Ｗ  カット部と挟持体の間隔
【図１】
0003134082.tif 000003
【図２】
0003134082.tif 000004
【図３】
0003134082.tif 000005
【図４】
0003134082.tif 000006
【図５】
0003134082.tif 000007
【図６】
0003134082.tif 000008
【図７】
0003134082.tif 000009